(57)【要約】【課題】光学素子をマウント部材に対して位置調整する場合、これらの接触部分での摩擦抵抗が大きく、位置調整を容易に行い得ない。【解決手段】ｆθレンズ１１と、このｆθレンズ１１が接着剤１２を介して固定されるマウント部材１３とを具えた光学素子ユニット１０であって、マウント部材１３は、ベース部１４と、このベース部１４から突出し、かつｆθレンズ１１が搭載される支持面１５ａを持った支持部１５と、一端が支持部１５の支持面１５ａに開口してここから空気を吹き出すための空気供給通路１６とを有し、空気供給通路１６の他端がベース部１４に開口し、この空気供給通路１６の他端に空気供給手段が接続可能であり、マウント部材１３に対してｆθレンズ１１の位置を調整する際に支持面１５ａから空気を吹き出し、支持面１５ａとｆθレンズ１１との間の摩擦抵抗を軽減させることができる。【選択図】        図１
2004157191.tif 000002
【特許請求の範囲】
【請求項１】
光学素子と、この光学素子が接着剤を介して固定されるマウント部材とを具えた光学素子ユニットであって、
前記マウント部材は、ベース部と、このベース部から突出し、かつ前記光学素子が搭載される支持面を持った支持部と、一端が前記支持部の前記支持面に開口してここから空気を吹き出すための空気供給通路と
を有し、前記空気供給通路の他端が前記ベース部に開口し、この空気供給通路の他端に空気供給手段が接続可能であることを特徴とする光学素子ユニット。
【発明の詳細な説明】
【０００１】
【発明の属する技術分野】
本発明は、光学素子が接着剤を介して固定されるマウント部材およびこのマウント部材と光学素子とを一体化してなる光学素子ユニットならびにマウント部材に対する光学素子の位置調整方法に関する。
【０００２】
【従来の技術】
複写機やレーザープリンタなどの電子写真装置においては、レーザー光を電子写真感光ドラムに対して走査露光させるためのスキャナ光学系が組み込まれている。通常、このスキャナ光学系は、スキャナボックスとしてユニット化された状態で電子写真装置に搭載される。つまり、このスキャナボックスは、レーザー光を発振するレーザー光源，このレーザー光源から発せられたレーザー光を走査させる回転多面鏡（回転多面鏡），この回転多面鏡によって走査されるレーザー光を電子写真感光ドラムの外周面に集束させるｆθレンズ，これらレーザー光源，回転多面鏡，ｆθレンズなどが組み付けられるマウント部材などで構成される。
【０００３】
これらのスキャナ光学系をそのマウント部材に組み付ける際、相互の光軸が合致するようにマウント部材に対して個々のスキャナ光学系の位置調整を正確に行う必要がある。特に、個々の光学系の光軸の傾きの調整は非常に重要であり、このために従来から種々の工夫がなされている。例えば、光軸に対して直交する中心軸を持つ上述したｆθレンズやシリンドリカルレンズあるいはトーリックレンズなどにおいては、これらの取り付け面を中心軸を中心とする円弧面にて成形する一方、マウント部材に形成された光学素子に対する支持面をＶ字状または光学素子の円弧面に対応した円弧面にて形成し、この支持面に光学素子の円弧面を載せるようにしている。これにより、マウント部材の支持面に円弧面を接触させた状態の光学素子をその中心軸回りに旋回させ、光軸の傾きを容易に調整することができる。特許文献１などは、このような調整方法が開示された代表的なものである。
【０００４】
近年、プラスチック製品の精密成形技術の向上に伴い、上述したマウント部材や各種光学素子などもプラスチックの成形加工にて製造されることが多くなっている。２つの部材を接触させた状態で相互に移動させる場合、これらの間に発生する摩擦抵抗が問題となる。特に、２つの部材が共にプラスチック製品の場合、これらの間に発生する摩擦抵抗が非常に大きくなり、円滑な相対移動を行うことが困難であり、このような場合には２つの部材の接触面に潤滑剤を塗布することが一般的である。
【０００５】
【特許文献１】
特開平１０−２５０１５０号公報
【０００６】
【発明が解決しようとする課題】
光軸に対して直交する中心軸を持つｆθレンズやシリンドリカルレンズあるいはトーリックレンズなどの光学要素をそのマウント部材に取り付ける場合、マウント部材に形成された支持面に対して光学要素を接触させた状態でその中心軸回りに旋回させ、光軸の傾きを調整する必要がある。
【０００７】
光学要素やそのマウント部材が共に樹脂成形品の場合、これらを相対移動させる際の摩擦抵抗を軽減させるため、これら光学要素の取り付け面とマウント部材に形成された支持面との間に潤滑剤を塗布することが考えられている。しかしながら、従来の潤滑剤は光学要素やマウント部材を構成するプラスチック内に浸透し、経時的にその変性や割れを引き起こす不具合がある。しかも、回転多面鏡の回転やレーザー光源の発振によってスキャナボックスが高温となり、光学要素の取り付け面とそのマウント部材の支持面との間に塗布された潤滑剤のバインダー成分が蒸発する結果、残留成分が粉状となって浮遊して光学要素などに再付着するおそれもある。
【０００８】
このような不具合を回避するためには、潤滑剤を使用せずにマウント部材に形成された支持面に対する光学要素の位置を調整する作業を行えば良いが、今度は逆にこれらの接触部分での摩擦抵抗が過大となり、これに応じて駆動能力の高い位置調整装置を用意しなければならず、組立設備コストが嵩む原因となる。
【０００９】
【発明の目的】
本発明の目的は、マウント部材に接着剤を介して固定される光学素子の位置調整を容易に行い得る光学素子ユニットを提供することにある。
【００１０】
【課題を解決するための手段】
本発明による光学素子ユニットは、光学素子と、この光学素子が接着剤を介して固定されるマウント部材とを具えた光学素子ユニットであって、前記マウント部材は、ベース部と、このベース部から突出し、かつ前記光学素子が搭載される支持面を持った支持部と、一端が前記支持部の前記支持面に開口してここから空気を吹き出すための空気供給通路とを有し、前記空気供給通路の他端が前記ベース部に開口し、この空気供給通路の他端に空気供給手段が接続可能であることを特徴とするものである。
【００１１】
本発明においては、空気供給手段を空気供給通路の他端に接続し、その一端から空気を吹き出すことにより、支持面に対する光学素子の摩擦抵抗を軽減した状態でマウント部材に対する光学素子の位置を調整する。この位置調整を終えたら、これらの間に接着剤を供給し、光学素材をマウント部材に固定することにより光学素子ユニットが形成される。
【００１２】
本発明による光学素子ユニットにおいて、光学素子は、光軸が通る一対の光学面と、これら一対の光学面の間に位置して光軸と直交する中心軸と、支持部の支持面に接し、中心軸を中心とする少なくとも１つの円弧面とを有し、マウント部材に対して中心軸回りの傾きが調整されるものであってよい。
【００１３】
支持部の支持面は光学素子の円弧面と対応した円弧面またはＶ字状をなし、支持部は光学素子の中心軸に沿って相隔てて一対設けられ、光学素子およびマウント部材の少なくとも一方がプラスチック成形品であってよい。
【００１４】
【発明の実施の形態】
接着剤を介して光学素子が固定されるマウント部材であって、ベース部と、このベース部から突出し、かつ前記光学素子が搭載される支持面を持った支持部と、一端が前記支持部の前記支持面に開口すると共に他端が前記ベース部に開口し、この他端に前記一端から空気を吹き出すための空気供給手段が接続可能である空気供給通路とを具えたことを特徴とするマウント部材自体も、本発明の形態となり得るものである。
【００１５】
光学素子をマウント部材に固定する場合、まず空気供給手段を空気供給通路の他端に接続し、その一端から空気を吹き出すことにより、支持面に対する光学素子の摩擦抵抗を軽減した状態でマウント部材に対する光学素子の位置を調整する。この位置調整を終えたら、これらの間に接着剤を供給し、光学素材をマウント部材に対して一体化する。
【００１６】
このマウント部材によると、ベース部と、このベース部から突出し、かつ光学素子が搭載される支持面を持った支持部と、一端が支持部の支持面に開口すると共に他端がベース部に開口し、この他端に一端から空気を吹き出すための空気供給手段が接続可能である空気供給通路とを具えているので、マウント部材に光学素子を固定する場合、支持面から空気を吹き出すことにより、潤滑剤などを使用せずとも支持面と光学素子との間の摩擦抵抗を大幅に軽減させることができ、マウント部材に対する光学素子の位置を容易に調整することが可能である。特に、光軸が通る一対の光学面と、これら一対の光学面の間に位置して光軸と直交する中心軸と、支持部の支持面に接し、中心軸を中心とする少なくとも１つの円弧面とを光学素子が有し、マウント部材に対する中心軸回りの光学素子の傾きを調整する場合に有効である。
【００１７】
従って、このようなマウント部材において、光学素子は、光軸が通る一対の光学面と、これら一対の光学面の間に位置して光軸と直交する中心軸と、支持部の支持面に接し、中心軸を中心とする少なくとも１つの円弧面とを有し、マウント部材に対して中心軸回りの傾きが調整されるものであってよい。
【００１８】
支持部の支持面は光学素子の円弧面と対応した円弧面またはＶ字状をなし、支持部は光学素子の中心軸に沿って相隔てて一対設けられ、このマウント部材がプラスチック成形品であってよい。この場合には、支持面と光学素子との間の摩擦抵抗を大幅に軽減させることができ、マウント部材に対する光学素子の位置を容易に調整することが可能である。
【００１９】
光軸が通る一対の光学面と、これら一対の光学面の間に位置して前記光軸と直交する中心軸と、この中心軸を中心とする少なくとも１つの円弧面とを有する光学素子と、
この光学素子の前記円弧面が搭載される一対の支持面を有するマウント部材とを接着剤を介して固定するに際し、前記マウント部材に対して前記中心軸回りの前記光学素子の傾きを調整する方法であって、
前記支持面と前記光学素子との間に空気を供給し、前記支持面に対する前記光学素子の摩擦抵抗を軽減させた状態で前記マウント部材の支持面に対して前記回転軸回りの前記光学素子の傾きを調整することを特徴とする方法も本発明の形態となり得るものである。
【００２０】
このような位置調整方法によると、接着剤を介して光学素子が固定されるマウント部材の支持面と光学素子との間に空気を供給し、支持面に対する光学素子の摩擦抵抗を軽減させた状態でマウント部材の支持面に対して回転軸回りの光学素子の傾きを調整するようにしたので、潤滑剤などを使用せずともマウント部材に対する光学素子の位置を容易に調整することが可能である。
【００２１】
このような位置調整方法において、マウント部材の支持面に対して回転軸回りの光学素子の傾きを調整するに先立ち、マウント部材に対して中心軸に沿った光学素子の位置を調整することができる。この場合には、光学素子の傾きを再調整する必要がなくなる。
【００２２】
光学素子がトーリックレンズまたはシリンドリカルレンズであってよい。あるいは、電子写真感光ドラムとこの電子写真感光ドラムにレーザー光を照射するための回転多面鏡との間に配されるｆθレンズであってよい。この場合、マウント部材に対する中心軸回りの光学素子の傾きを容易に調整することができる。
【００２３】
［実施例］
本発明による光学素子ユニットをレーザープリンタなどに用いられるｆθレンズユニットに応用した一実施例について、図１〜図９を参照しながら詳細に説明するが、本発明はこのような実施例に限らず、この明細書の特許請求の範囲に記載された本発明の概念に包含されるあらゆる変更や修正が可能であり、従って本発明の精神に帰属する他の技術にも当然応用することができる。
【００２４】
本実施例におけるｆθレンズユニットの主要部の外観を図１に示し、その正面形状を図２に示す。すなわち、このｆθレンズユニット１０は、光の入射角に応じて焦点距離が連続的に変化する周知のｆθ特性を持ったｆθレンズ１１と、このｆθレンズ１１が接着剤１２を介して固定されるマウント部材１３とを具えている。
【００２５】
本実施例におけるｆθレンズ１１は、中心軸線Ｏに沿った細長い棒状をなし、その外周は、中心軸線Ｏを挟んで反対側に位置する一対の平面部１１ａと、これら一対の平面部１１ａの対向方向と直交する方向に中心軸線Ｏを挟んで反対側に位置する一対の円弧部１１ｂとで形成されている。一対の平面部１１ａにはそれぞれ光学面１１ｃがこれら平面部１１ａから窪んだ状態で形成されており、このｆθレンズ１１の光軸面Ｃは中心軸線Ｏを含み、かつ平面部１１ａに対して直交する面内にある。一対の円弧部１１ｂの曲率中心は中心軸線Ｏと一致しており、一方がマウント部材１３への取り付け面となる。このｆθレンズ１１は、透明な光学樹脂の射出成形により製造される。
【００２６】
本実施例におけるマウント部材１３の主要部の平面形状を図３に示し、そのＩＶ−ＩＶ矢視断面構造を図４に示す。すなわち、本実施例におけるマウント部材１３は、平坦な上面を持つベース部１４と、このベース部１４の上面から突出する一対の支持部１５とを有する。本実施例における支持部１５は、逆向きに傾斜する一対の傾斜面１５ａを持ったＶ字形状をそれぞれ有し、これら支持部１５の上端の一対の傾斜面１５ａがｆθレンズ１１の円弧部１１ｂが載せられる本発明の支持面として機能する。これら一対の支持部１５は、これらの傾斜面１５ａの底が一直線状をなすように、ベース部１４の上面に相隔てて並行に配列した状態となっている。このマウント部材１３には、一端が一対の傾斜面１５ａのそれぞれ下側と底とに開口し、他端がベース部１４の裏面にそれぞれ開口する２組の空気供給通路１６が支持部１５からベース部１４に亙ってそれぞれ形成されている。ベース部１４の裏面に開口する空気供給通路１６の他端側には、弾性変形可能なコンバム１７などを介して図示しないエアコンプレッサなどの空気供給手段が取り外し可能に連結され、傾斜面１５ａに開口する空気供給通路１６の一端から空気を吹き出すことができるようになっている。このマウント部材１３は、好ましくは艶消しの黒色樹脂にて射出成形される。
【００２７】
従って、マウント部材１３の支持部１５にｆθレンズ１１を載せ、この状態にて支持部１５の傾斜面１５ａに対してｆθレンズ１１の円弧部１１ｂを滑らせつつ中心軸線Ｏ回りにｆθレンズ１１の傾きを調整する場合、これらが共に樹脂にて成形されているため、これらの摩擦抵抗がかなり大きなものとなる。しかしながら、本実施例ではこの状態にて傾斜面１５ａに開口する空気供給通路１６の一端からｆθレンズ１１の円弧部１１ｂに空気を吹き出すことにより、支持部１５の傾斜面１５ａとｆθレンズ１１の円弧部１１ｂとの接触部分に空気が供給される結果、これらの間の摩擦抵抗が著しく軽減され、ｆθレンズ１１の傾きを調整するために要する回転力を大幅に少なくすることができる。マウント部材１３に対するｆθレンズ１１の位置決めが完了したならば、ｆθレンズ１１の円弧部１１ｂの長手方向中央部とマウント部材１３のベース部１４の上面との間に供給される接着剤１２を硬化させ、マウント部材１３に対してｆθレンズ１１を一体的に固定してｆθレンズユニット１０を完成する。
【００２８】
なお、本実施例ではｆθレンズ１１の円弧部１１ｂが接する支持面を逆向きに傾斜する一対のＶ字状をなす傾斜面１５ａにて形成したが、ｆθレンズ１１を回転する際にその中心軸線Ｏの位置が変動しないような形状の支持面であればよく、従ってｆθレンズ１１の円弧部１１ｂの曲率と対応した曲率の円弧部にて支持面を形成することも可能である。
【００２９】
上述したｆθレンズユニット１０は、図５に示すようなスキャナボックス１８の一部を構成する。このスキャナボックス１８は、レーザー光Ｌを発振するレーザー光源としてのレーザーダイオード１９と、このレーザーダイオード１９からの光を電子写真感光ドラム２０の外周を横切るように走査させる回転多面鏡（ポリゴンミラー）２１と、この回転多面鏡２１と電子写真感光ドラム２０との間に配される上述のｆθレンズユニット１０とを主要部として構成されている。マウント部材１３には、ｆθレンズユニット１０の他に上述したレーザーダイオード１９および回転多面鏡２１も同時に搭載される。
【００３０】
レーザープリンタなどの実際の使用状況下において、レーザーダイオード１９から出射したレーザー光Ｌは、図示しない駆動モータに連結されて駆動回転する回転多面鏡２１により反射され、電子写真感光ドラム２０の回転軸線と平行にその外周面を横切るように走査移動し、電子写真感光ドラム２０の表面の全域（ｆθレンズ１１の中心軸線Ｏと平行な直線状をなす空間上の焦線）に亙ってｆθレンズ１１により焦点が合わされた状態となる。
【００３１】
上述したｆθレンズユニット１０の組立装置の一例の正面形状を図６に示し、その制御ブロックを図７に示す。すなわち、この組立装置はあらかじめレーザーダイオード１９および回転多面鏡２１が搭載されたマウント部材１３の支持部１５にｆθレンズ１１を取り付けるためのものであり、マウント部材１３が載置される定盤２２と、この定盤２２の上に固定されてマウント部材１３の裏面の所定位置に形成された図示しない窪みに上端部が嵌まり込む少なくとも３本のマウント位置決めピン２３と、これらマウント位置決めピン２３側にマウント部材１３を押し付けることにより、定盤２２に対してマウント部材１３が動かないように保持する複数（図示例では２つ）のクランプピン２４と、ｆθレンズ１１の長手方向一側端面が当接し、このｆθレンズ１１の中心軸線Ｏと平行な方向に沿ったマウント部材１３に対するｆθレンズ１１の位置を規定するためのレンズ位置決めピン２５と、マウント部材１３の支持部１５にｆθレンズ１１の下側の円弧部１１ｂを弾性力を伴って押し当て、マウント部材１３に対してｆθレンズ１１が動かないように保持する一対の押圧ピン２６と、マウント部材１３に載せられたｆθレンズ１１を掴んでその中心軸線Ｏ回りに傾斜させるためのマニプレータハンド２７と、このマニプレータハンド２７の作動を制御するハンド制御装置２８と、定盤２２に固定され、マウント部材１３のベース部１４の裏面に開口する空気供給通路１６の他端を囲むようにベース部１４の裏面が気密に押し当てられるコンバム１７と、このコンバム１７に空気供給管２９を介して連通する図示しないエアコンプレッサなどを有する空気供給手段と、定盤２２に固定され、マウント部材１３に搭載されたｆθレンズ１１を介してレーザーダイオード１９からのレーザー光Ｌを受光するためのＣＣＤラインセンサ３０と、このＣＣＤラインセンサ３０からの出力信号を処理する信号処理装置３１と、この信号処理装置３１によって処理された情報を受け、これに基づいてマニプレータハンド２７の旋回量をハンド制御装置２８に出力するコンピュータ３２とを具えている。
【００３２】
マニプレータハンド２７によってｆθレンズ１１の傾斜を調整する際、空気供給手段はマウント部材１３の支持部１５の傾斜面１５ａに開口する空気供給通路１６の一端から空気を噴出させ、支持部１５の傾斜面１５ａとｆθレンズ１１の円弧部１１ｂとの接触部分に供給される空気により、これらの間の摩擦抵抗を軽減してマニプレータハンド２７によるｆθレンズ１１の傾き調整を低負荷にて行うことができるようになっている。
【００３３】
ＣＣＤラインセンサ３０は、電子感光ドラム２０が配されるべき位置、すなわちｆθレンズ１１によってレーザー光Ｌの焦点が合わされる位置でｆθレンズ１１の光軸面Ｃに対し垂直となるように配されている。
【００３４】
中心軸線Ｏを中心とするｆθレンズ１１の傾きとＣＣＤラインセンサ３０に対するレーザー光Ｌとの位置関係を図８〜図１０に模式的に示す。すわなち、ｆθレンズ１１の傾きが正しく調整されている場合、図８に示すように回転多面鏡２１によって反射したレーザー光Ｌは、ＣＣＤラインセンサ３０の上下方向中央に到達する。これに対し、ｆθレンズ１１がＣＣＤラインセンサ３０の上方に傾いている場合、図９に示すように回転多面鏡２１によって反射したレーザー光Ｌは、ＣＣＤラインセンサ３０の上下方向上側に到達する。逆に、ｆθレンズ１１がＣＣＤラインセンサ３０の上方に傾いている場合、図１０に示すように回転多面鏡２１によって反射したレーザー光Ｌは、ＣＣＤラインセンサ３０の上下方向下側に到達する。従って、ＣＣＤラインセンサ３０の上下方向に沿ったレーザー光Ｌの強度分布に基づき、ｆθレンズ１１の傾きを修正することができる。上述した信号処理装置３１は、ＣＣＤラインセンサ３０における受光強度が最大となる位置とＣＣＤラインセンサ３０の中央との差Δを算出し、これをコンピュータ３２に出力する。コンピュータ３２はこの差Δが０となるようなｆθレンズ１１の傾き修正量を算出し、これをハンド制御装置２８に出力する。
【００３５】
上述した組立装置を用いて実際の組立作業を行う場合、あらかじめレーザーダイオード１９と回転多面鏡２１とが所定の位置に組み付けられたマウント部材１３をマウント位置決めピン２３を利用して定盤２２の所定位置に置く。次に、クランプピン２４を操作してマウント部材１３を定盤２２に対して固定する。これにより、コンバム１７の上端面がマウント部材１３の裏面に気密に密着した状態となる。この状態にて紫外線硬化型接着剤１２を一対の支持部１５の間のベース部１４の表面に所定量滴下し、マニプレータハンド２７により掴まれたｆθレンズ１１を支持部１５の上に載せ、このｆθレンズ１１の一側端面がレンズ位置決めピン２５に接触するまで、中心軸線Ｏに沿ってｆθレンズ１１を移動させる。この場合、支持部１５の傾斜面１５ａに対するｆθレンズ１１の円弧部１１ｂの摩擦抵抗が小さいため、傾斜面１５ａから空気を噴出させる必要はない。ｆθレンズ１１がレンズ位置決めピン２５に接した時点でマニプレータハンド２７の移動を停止して押圧ピン２６を下降させ、支持部１５の傾斜面１５ａに対してｆθレンズ１１の円弧部１１ｂを確実に密着させる。
【００３６】
この状態にて、レーザーダイオード１９を作動させると共に回転多面鏡２１を駆動回転させ、ｆθレンズ１１を介してレーザー光ＬをＣＣＤラインセンサ３０に導く。ＣＣＤラインセンサ３０は、回転多面鏡２１の回転に伴うパルス状の受光信号を信号処理装置３１に出力し、上述した処理が行われて回転多面鏡２１の傾きが図８に示すような正しい状態となるまで逐次修正される。この間、空気供給通路１６の一端から空気を噴出させ、支持部１５の傾斜面１５ａとｆθレンズ１１の円弧部１１ｂとの接触部分に空気を供給してこれらの間の摩擦抵抗を軽減させる。これにより、ｆθレンズ１１を非常に滑らかに回転させることができる。
【００３７】
支持部１５に対するｆθレンズ１１の傾きの修正が終わった時点で、空気の供給を停止すると共に前述の紫外線硬化型接着剤１２に向けて紫外線を照射し、この紫外線硬化型接着剤１２を硬化させることにより、ベース部１４にｆθレンズ１１を接着固定する。
【００３８】
しかる後、マニプレータハンド２７をｆθレンズ１１から退避させると同時に押圧ピン２６およびクランプピン２４も上方に退避させ、定盤２２に対するマウント部材１３の拘束を解除し、組上がったスキャナボックス１８を定盤２２から取り出す。
【００３９】
【発明の効果】
本発明の光学素子ユニットによると、接着剤を介して光学素子が固定されるマウント部材は、ベース部と、このベース部から突出し、かつ光学素子が搭載される支持面を持った支持部と、一端が支持部の支持面に開口してここから空気を吹き出すための空気供給通路とを有し、空気供給通路の他端がベース部に開口し、この空気供給通路の他端に空気供給手段が接続可能であるので、マウント部材に光学素子を固定する場合、支持面から空気を吹き出すことにより、潤滑剤などを使用せずとも支持面と光学素子との間の摩擦抵抗を大幅に軽減させることができ、マウント部材に対する光学素子の位置を容易に調整することが可能である。特に、光軸が通る一対の光学面と、これら一対の光学面の間に位置して光軸と直交する中心軸と、支持部の支持面に接し、中心軸を中心とする少なくとも１つの円弧面とを光学素子が有し、マウント部材に対する中心軸回りの光学素子の傾きを調整する場合に有効である。
【００４０】
支持部の支持面が光学素子の円弧面と対応した円弧面またはＶ字状をなし、支持部が光学素子の中心軸に沿って相隔てて一対設けられている場合、光学素子を支持部の支持面に対して安定して搭載することができ、このマウント部材がプラスチック成形品であっても支持面と光学素子との間の摩擦抵抗を大幅に軽減させることができ、マウント部材に対する光学素子の位置を容易に調整することが可能である。
【図面の簡単な説明】
【図１】本発明による光学素子ユニットをレーザープリンタなどに用いられるｆθレンズユニットに応用した一実施例の主要部の外観を表す斜視図である。
【図２】図１に示したｆθレンズユニットの主要部の正面図である。
【図３】図１に示したｆθレンズユニットの一部を構成するマウント部材の主要部の平面図である。
【図４】図３中のＩＶ−ＩＶ矢視断面図である。
【図５】図１に示したｆθレンズレンズユニットが組み込まれたスキャナボックスの外観を模式的に表す斜視図である。
【図６】図５に示したスキャナブロックをその組立装置と共に模式的に示す正面図である。
【図７】図６に示した組立装置の制御ブロック図である。
【図８】マウント部材に対してｆθレンズの位置が正しく調整されている状態を表す模式図である。
【図９】マウント部材に対してｆθレンズの位置が正しく調整されていない状態を表す模式図であり、ｆθレンズの光軸がＣＣＤラインセンサの上端側に傾斜している場合を示す。
【図１０】マウント部材に対してｆθレンズの位置が正しく調整されていない状態を表す模式図であり、ｆθレンズの光軸がＣＣＤラインセンサの下端側に傾斜している場合を示す。
【符号の説明】
１０  ｆθレンズユニット
１１  ｆθレンズ
１１ａ  平面部
１１ｂ  円弧部
１１ｃ  光学面
１２  （紫外線硬化型）接着剤
１３  マウント部材
１４  ベース部
１５  支持部
１５ａ  傾斜面
１６  空気供給通路
１７  コンバム
１８  スキャナボックス
１９  レーザーダイオード
２０  電子写真感光ドラム
２１  回転多面鏡（ポリゴンミラー）
２２  定盤
２３  マウント位置決めピン
２４  クランプピン
２５  レンズ位置決めピン
２６  押圧ピン
２７  マニプレータハンド
２８  ハンド制御装置
２９  空気供給管
３０  ＣＣＤラインセンサ
３１  信号処理装置
３２  コンピュータ
Ｃ  光軸面
Ｏ  中心軸線
Ｌ  レーザー光
Δ  ＣＣＤラインセンサの中央と受光強度が最大となる位置との差
【図１】
2004157191.tif 000003
【図２】
2004157191.tif 000004
【図３】
2004157191.tif 000005
【図４】
2004157191.tif 000006
【図５】
2004157191.tif 000007
【図６】
2004157191.tif 000008
【図７】
2004157191.tif 000009
【図８】
2004157191.tif 000010
【図９】
2004157191.tif 000011
【図１０】
2004157191.tif 000012